(57)【要約】【課題】簡単な手順でワイヤハーネスを空間部内に配策することのできるワイヤハーネスの配策方法及びワイヤハーネス配策用治具を提供する。【解決手段】車両内の閉塞された断面形状をなす空間部６に、ワイヤハーネス２を配策する配策方法において、ワイヤハーネス２に、ワイヤハーネス２よりも曲げ剛性の高い可撓性材料で形成された配策用治具１を固定し、その後、ワイヤハーネス２を空間部６内に挿入して、ワイヤハーネス２を配策する。【選択図】      図１
2004166317.tif 000002
【特許請求の範囲】
【請求項１】
車両内の閉塞された断面形状をなす空間部に、ワイヤハーネスを配策する配策方法において、
前記ワイヤハーネスに、ワイヤハーネスよりも曲げ剛性の高い可撓性材料で形成された棒状部材を固定し、その後、該ワイヤハーネスを前記空間部内に挿入して、前記ワイヤハーネスを配策することを特徴とするワイヤハーネスの配策方法。
【請求項２】
前記棒状部材が固定されたワイヤハーネスを、前記空間部に挿入した後、前記棒状部材を折損して、ワイヤハーネスを配策することを特徴とする請求項１に記載のワイヤハーネスの配策方法。
【請求項３】
車両内の閉塞された断面形状をなす空間部に、ワイヤハーネスを配策する際に用いる配策用治具であって、
前記ワイヤハーネスよりも曲げ剛性の高い可撓性材料からなり、少なくとも一つの易折損部を有する棒状をなすことを特徴とするワイヤハーネス配策用治具。
【請求項４】
更に、少なくとも１箇所に、前記ワイヤハーネスに連結されたコネクタを固定するコネクタ固定部を有し、該コネクタ固定部は、前記コネクタの、ワイヤハーネス延在方向断面よりも大きいことを特徴とする請求項３に記載のワイヤハーネス配策用治具。
【請求項５】
前記コネクタ固定部は、略円環形状をなすことを特徴とする請求項４に記載のワイヤハーネス配策用治具。
【請求項６】
前記円環形状をなすコネクタ固定部は、前記易折損部であり、該コネクタ固定部は、折損時に、固定されていた前記コネクタを解放することを特徴とする請求項５に記載のワイヤハーネス配策用治具。
【請求項７】
前記コネクタ固定部は、２箇所以上形成され、このうち少なくとも一つのコネクタ固定部は、他のコネクタ固定部と、ワイヤハーネス長手方向を軸とした取り付け角度が相違することを特徴とする請求項４〜請求項６のいずれか１項に記載のワイヤハーネス配策用治具。
【発明の詳細な説明】
【０００１】
【発明の属する技術分野】
本発明は、車両内に取り付けるハーネスを配策する際に用いるハーネス構造材、及びハーネス配策方法に関する。
【０００２】
【従来の技術】
一般に、車両内に搭載される各種電気機器は、当該車両内に配策されるワイヤーハーネスにより、電気的に接続される。従来において、ワイヤーハーネスを、例えば図９に示す車両のバックドア１０１内に形成された空間部１０５内に配策する場合には、まず、空間部１０５の入口となるグロメット穴１０４に配策用の治具である金属ワイヤ１０２を通し、空間部１０５内を通過した金属ワイヤ１０２の先端にワイヤハーネス１０３を係止し、その後、金属ワイヤ１０２を引き抜くことにより、ワイヤハーネス１０３を空間部１０５内に配策していた。
【０００３】
【発明が解決しようとする課題】
しかしながら、上述した従来のワイヤハーネスの配策方法では、金属ワイヤ１０２をバックドア１０１の空間部１０５内に通し、更に金属ワイヤ１０２を引き抜くという作業が発生するため、作業工数が増大するという問題が生じる。
【０００４】
本発明はこのような従来の課題を解決するためになされたものであり、その目的とするところは、より簡単な手順でワイヤハーネスを配策することのできるワイヤハーネスの配策方法及びワイヤハーネス配策用治具を提供することにある。
【０００５】
【課題を解決するための手段】
上記目的を達成するため、本発明のワイヤハーネスの配策方法は、車両内の閉塞された断面形状をなす空間部に、ワイヤハーネスを配策する配策方法において、前記ワイヤハーネスに、ワイヤハーネスよりも曲げ剛性の高い可撓性材料で形成された棒状部材を固定し、その後、該ワイヤハーネスを前記空間部内に挿入して、前記ワイヤハーネスを配策することを特徴とする。
【０００６】
本発明のワイヤハーネス配策用治具は、車両内の閉塞された断面形状をなす空間部に、ワイヤハーネスを配策する際に用いる配策用治具であって、前記ワイヤハーネスよりも曲げ剛性の高い可撓性材料からなり、少なくとも一つの易折損部を有する棒状をなすことを特徴とする。
【０００７】
【発明の効果】
本発明のワイヤハーネスの配策方法では、ワイヤハーネスよりも曲げ剛性の高い可撓性材料で形成された棒状部材を、ワイヤハーネスに固定した状態で、該ワイヤハーネスを空間部内に挿通するので、空間部内に容易にワイヤハーネスを配策することができる。
【０００８】
本発明のワイヤハーネス配策用治具では、ワイヤハーネスよりも曲げ剛性の高い可撓性材料で形成され、且つ、易折損部を具備しているので、空間部内に容易にワイヤハーネスを配策することができ、更に、易折損部を折損することにより、その後の配策作業を容易に行うことができる。
【０００９】
【発明の実施の形態】
以下、本発明の実施形態を図面に基づいて説明する。図１は、本発明の一実施形態に係るワイヤハーネス配策用治具の構成を示す斜視図である。同図に示すように、該ワイヤハーネス配策用治具（以下、単に「配策用治具」という）１は、例えばポリプロピレン等の樹脂（可撓性を備え、ワイヤハーネスよりも曲げ合成が高い材料）で構成され、全体として棒状を成している。そして、該配策用治具１の先端部には半円形状部１ｃが形成され、更に、中間部の数か所（この場合は、２箇所）には、円環形状部１ａが形成されている。
【００１０】
円環形状部（易折損部）１ａは、薄肉状に構成され、且つ、コネクタ２ａよりもやや大きめの形状を有している（コネクタの延在方向断面よりも大きい）。更に、この部分を折り曲げることにより、容易に折損することができる。
【００１１】
次に、図１に示した配策用治具１を用いて、ワイヤハーネス２を車両内の所望部位に挿入する手順について説明する。
【００１２】
図２は、ワイヤハーネス２に、配策用治具１を取り付けたときの様子を示す説明図である。同図（ａ）に示すように、ワイヤハーネス２の長手方向に沿って、配策用治具１が設置され、更に、ワイヤハーネス２に連結されたコネクタ２ａが、円環形状部１ａの部位に来るように設定した状態で、締結具４にてワイヤハーネス２を配策用治具１に締結する。
【００１３】
また、図２（ｂ）の拡大図に示すように、オプションテープ５を巻き付けることにより、円環形状部１ａにコネクタ２ａを固定する。
【００１４】
図３は、上記の手順により配策用治具１が取り付けられたワイヤハーネス２を、車両のバックドアパネル３に形成されたグロメット穴３ｄ内に挿入する際の様子を示す説明図である。また、図４（ａ）〜（ｃ）は、それぞれ図３のＳＡ−ＳＡ断面、ＳＢ−ＳＢ断面、及びＳＣ−ＳＣ断面を示している。
【００１５】
図３に示すように、ワイヤハーネス２をバックドアパネル３内の空間部６内に組み付ける際には、まず、バックドアパネル３の上部に形成されたグロメット穴３ｄに、ワイヤハーネス２の先端部を挿入し、そのまま内側に押し込む。
【００１６】
ワイヤハーネス２は、配策用治具１が固定されているので、ある程度の剛性を有しており、ワイヤハーネス２を容易に空間部６内に挿入することができる。
【００１７】
バックドアパネル３は、図４（ａ）に示すように、アウターパネル３ａとインナーパネル３ｂとにより、これらの各パネル３ａ，３ｂにより、閉塞された空間部６が形成される。更に、図４（ｃ）に示すように、該空間部６の下側には、この空間部６を更に２分割するレインフォース３ｃが形成され、同図（ｂ）に示すように、ワイヤハーネス２は、インナーパネル３ｂとレインフォース３ｃとに囲まれる空間内６ａを挿通するように配策される。
【００１８】
この際、ワイヤハーネス２に連結されたコネクタ２ａ（図２（ｂ）参照）がレインフォース３ｃと干渉して、円滑に挿入することができない場合が多い。
【００１９】
本実施形態では、配策用治具１の円環形状部１ａが、ガイドの役割を果たすことになり、図４（ｃ）に示すように、コネクタ２ａと連結されたワイヤハーネス２は、円滑にこの閉空間を貫通することができる。
【００２０】
ワイヤハーネス２を空間部６内に貫通させた後は、図５に示すように、該ワイヤハーネス２をバックドアパネルインナー７に配策する。このとき、配策用治具１に薄肉状に形成された円環形状部１ａを折り曲げ、この部分を折損することにより、コネクタ２ａを円環形状部２ａから取り外す。そして、全てのコネクタ２ａを取り外した状態で、ワイヤハーネス２をバックドアパネルインナー７内に配策する。
【００２１】
そして、配策用治具１が折損されているため、ワイヤハーネス２は容易に屈曲するので、複雑な配策経路であっても、容易に配策することができる。
【００２２】
次に、ワイヤハーネス２を配策する空間部６の形状が変化する場合の、配策方法につてい説明する。図６は、バックドアパネル３の構成図、図７（ａ）はＳＱ−ＳＱ断面、（ｂ）はＳＰ−ＳＰ断面を示している。
【００２３】
図７（ａ）、（ｂ）に示すように、ワイヤハーネス２を配策するための空間部６ｂ（インナーパネル３ｂとレインフォース３ｃで囲まれる空間）は、バックドアパネル３の上側、下側で異なる形状を成している。つまり、同図（ａ）では、空間部６ｂは縦方向（図中上下方向）に幅が広く形成されており、同図（ｂ）では、空間部６ｂは横方向（図中左右方向）に幅が広く形成されている。
【００２４】
従って、図７に示すように、ワイヤハーネス２をグロメット穴３ｄから挿通した後、空間部６ｂを貫通させる際に、コネクタ２ａの向きが適切でないと、コネクタ２ａがインナーパネル３ｂ及びレインフォース３ｃに引っ掛かってしまい、コネクタ２ａを貫通させることができない場合が生じる。
【００２５】
このような場合には、図８に示すように、配策用治具１に形成される円環形状部が９０度ずれて形成された配策用治具１を使用する。即ち、同図に示す配策用治具１に形成される円環形状部１ｅは、円環形状部１ｄに対して９０度ずれた位置とされていおり、このような構成の配策用治具１を用いる。
【００２６】
そして、図６に示すように、作業者が配策用治具１の半円形状部１ｂを持ち、該半円形状部１ｂを図中矢印に示す方向に回転させることにより、コネクタ２ａの向きを変化させる。これにより、コネクタ２ａの引っ掛かりを回避することができ、スムーズにワイヤハーネス２を空間部６内に挿通することができる。
【００２７】
このようにして、本実施形態に係るワイヤハーネス配策用治具１は、ワイヤハーネス２よりも曲げ剛性の大きい材質で形成された棒状を成しているので、車両のバックドアパネル３に形成された空間部６内へ容易に挿通させることができる。（請求項１，２，３の効果）
また、一箇所または複数箇所に円環形状部が形成されており、該円環形状部にコネクタ２ａを固定した状態で、ワイヤハーネス２を空間部６内に挿通させるので、コネクタ２ａの空間部６内での引っ掛かりを防止することができ、スムーズに挿通させることができる。（請求項４，５，６の効果）
更に、配策用治具１に形成される円環形状部（１ａ、１ｄ、１ｅ）の角度を変化させることにより、空間部６の形状が変化する場合、即ち、図７（ａ）、（ｂ）に示した如くに変化する場合でも、配策用治具１の先端部（半円形状部１ｃ）を回転操作することにより、容易にワイヤハーネス２を空間部６内に挿通することができるようになる。（請求項７の効果）
以上、本発明のワイヤハーネスの配策方法及びワイヤハーネス配策用治具を図示の実施形態に基づいて説明したが、本発明はこれに限定されるものではなく、各部の構成は、同様の機能を有する任意の構成のものに置き換えることができる。
【００２８】
例えば、本実施形態では、コネクタ固定部として、円環形状部１ａ，１ｄ，１ｅを例に挙げて説明したが、本発明は、円環形状に限定されるものではなく、コネクタをスムーズに挿通させることのできる形状であれば、他の形状とすることも可能である。
【００２９】
また、本実施形態では、一つのワイヤハーネス配策用治具１に２箇所の円環形状部１ａ、１ｄ、１ｅを備える例について説明したが、円環形状部の個数は、２個に限定されるものではなく、１または３以上であっても良い。
【図面の簡単な説明】
【図１】本発明の一実施形態に係るワイヤハーネス配策用治具の構成図である。
【図２】（ａ）は配策用治具にワイヤハーネスを固定した様子を示す説明図、（ｂ）はコネクタ部分の拡大図である。
【図３】ワイヤハーネスをバックドアパネルの空間部内に挿通する様子を示す説明図である。
【図４】（ａ）は図３のＳＡ−ＳＡ断面、（ｂ）は図３のＳＢ−ＳＢ断面、（ｃ）は図３のＳＣ−ＳＣ断面を示す。
【図５】ワイヤハーネスをバックドアパネルインナーに配策する様子を示す説明図である。
【図６】バックドアパネルの空間部内の形状が変化する場合の、ワイヤハーネスの配策の様子を示す説明図である。
【図７】（ａ）は図６のＳＱ−ＳＱ断面、（ｂ）は図６のＳＰ−ＳＰ断面を示す。
【図８】円環形状部が９０度ずれた位置に形成された配策用治具をワイヤハーネスに取り付けた様子を示す説明図である。
【図９】従来におけるワイヤハーネスの配策の様子を示す説明図である。
【符号の説明】
１  ワイヤハーネス配策用治具
１ａ，１ｄ，１ｅ  円環形状部
１ｃ  半円形状部
２  ワイヤハーネス
２ａ  コネクタ
３  バックドアパネル
３ｄ  グロメット穴
４  締結具
５  オプションテープ
６、６ａ、６ｂ  空間部
７  バックドアパネルインナー
【図１】
2004166317.tif 000003
【図２】
2004166317.tif 000004
【図３】
2004166317.tif 000005
【図４】
2004166317.tif 000006
【図５】
2004166317.tif 000007
【図６】
2004166317.tif 000008
【図７】
2004166317.tif 000009
【図８】
2004166317.tif 000010
【図９】
2004166317.tif 000011